(57)【特許請求の範囲】
【請求項１】
容器本体の口部に取り付けられるキャップ本体と、キャップ本体に螺合装着される上蓋とを備えるキャップであって、
キャップ本体は、上面に突設された注出筒を有し、
上蓋は、その天面内側に、上蓋をキャップ本体に装着した状態で注出筒の上端部内壁に圧接される環状筒を有すると共に該環状筒に囲まれた領域に放射状液誘導リブを有し、
放射状液誘導リブは、環状筒側周縁部から放射状液誘導リブ中心部に向かって高さが高くなり、放射状液誘導リブ中心部から環状筒側周縁部に向かって幅が広くなっている複数のリブ片が放射状に配置されたものからなり、
放射状液誘導リブを形成するリブ片の間に、環状筒の基部から放射状液誘導リブの中心部に向かって液保持リブが形成されているキャップ。
【請求項２】
上蓋をキャップ本体に装着した状態で、放射状液誘導リブの頂部が、キャップ本体の上面に開口している開口部の縁辺に接する請求項１記載のキャップ。
【発明の詳細な説明】
【技術分野】
【０００１】
本発明は、ボトル状の容器本体の口部に装着されるキャップに関する。
【背景技術】
【０００２】
ドレッシング、ソース、タレ、食用油等の液状物を収容する容器として、ボトル状の容器本体に、中栓を備えたキャップを装着したものが使用されている。
【０００３】
このような容器では、内容液の使用前に容器を十分に振とうし、内容液を略均一な分散状態にすることがなされる。そのため、振とう後にキャップを開けると、キャップの天面内側に付着した内容液がキャップの外壁に液だれしたり、再度キャップを閉めたときに、キャップに付着していた内容液が容器本体の外壁に液だれするという問題が生じやすい。
【０００４】
これに対しては、容器本体の口部に直接取り付けられて中栓となるキャップ本体と、キャップ本体にヒンジ結合され、キャップ本体の開口部を開閉する蓋体とからなるキャップであって、キャップ本体に注出筒を突設させ、蓋体の天面内側に、注出筒に嵌合する嵌合筒と山形等に形成した多数のリブを設けたものが提案されている（特許文献１）。
【０００５】
【特許文献１】特開平９−１２０４９号公報
【発明の開示】
【発明が解決しようとする課題】
【０００６】
しかしながら、上述のキャップは、蓋体の天面内側に形成された多数のリブ間に多量の内容液を保持できるため、容器を振とうすると、蓋体の天面内側に付着する内容液が不要に多くなるという問題があった。
【０００７】
これに対し、本発明は、キャップを取り付けた容器において、容器の振とう後に蓋体自体に付着する内容液の液量を極力低減させ、かつ、振とう後キャップを開ける際には、蓋体に付着している内容液が蓋体に保持されるようにし、これによりキャップを開けたときのキャップ外壁への内容液の液だれや、キャップを再度閉じたときの容器本体外壁への液だれを確実に防止することを目的とする。
【課題を解決するための手段】
【０００８】
上述の目的を達成するため、本発明は、容器本体の口部に取り付けられるキャップ本体と、キャップ本体に螺合装着される上蓋とを備えるキャップであって、
キャップ本体は、上面に突設された注出筒を有し、
上蓋は、その天面内側に、上蓋をキャップ本体に装着した状態で注出筒の上端部内壁に圧接される環状筒と、環状筒に囲まれた領域に放射状液誘導リブを有し、
放射状液誘導リブは、環状筒側周縁部から放射状液誘導リブ中心部に向かって高さが高くなり、放射状液誘導リブ中心部から環状筒側周縁部に向かって幅が広くなっている複数のリブ片が放射状に配置されたものからなるキャップを提供する。
【発明の効果】
【０００９】
本発明のキャップによれば、上蓋の天面内側の環状筒に囲まれた領域に放射状液誘導リブが形成されており、この放射状液誘導リブは、環状筒側周縁部から放射状液誘導リブ中心部に向かって高さが高くなり、放射状液誘導リブ中心部から環状筒側周縁部に向かって幅が広くなっている複数のリブ片が放射状に配置されたものからなるので、このキャップを容器本体に取り付け、容器を正立させると、放射状液誘導リブ中心部の頂部が容器本体側に垂下する。したがって、内容液を収容した容器本体にこのキャップを取り付け、キャップを閉じて容器を十分に振とうすることにより、キャップの上蓋の放射状液誘導リブに内容液が付着しても、容器を正立させることにより、付着した内容液は、放射状液誘導リブの表面をつたい、その頂部から容器本体内へ速やかに戻る。したがって、振とう後キャップを開ける際に、上蓋に付着している内容液の液量を極力低減させることができる。
【００１０】
また、キャップを開ける際には、上蓋に僅かに付着している内容液は、放射状液誘導リブを形成するリブ片の間に保持される。したがって、容器本体を振とう後にキャップを開けたときのキャップ外壁への液だれを防止することができる。
【００１１】
さらに、再度キャップを閉じると、リブ片の間に保持されていた内容液は、放射状液誘導リブの表面をつたい、その頂部から容器本体内に戻る。したがって、キャップを閉じたときの容器外壁への液だれも防止することができる。
【発明を実施するための最良の形態】
【００１２】
以下、図面を参照しつつ、本発明を詳細に説明する。なお、各図中、同一符号は同一又は同等の構成要素を表している。
【００１３】
図２は、本発明の一実施例のキャップ１Ａを容器本体３０に取り付けた状態の断面図、図１（ａ）は、そのキャップ１Ａの上蓋１０Ａの部分切欠斜視図、同図（ｂ）は、上蓋１０Ａを容器本体側から見た底面図である。
【００１４】
このキャップ１Ａは、ドレッシング、ソース、タレ、食用油等の液状物を収容するボトル状の容器本体３０の口部３１に取り付けられるもので、キャップ本体２０と、キャップ本体２０に螺合装着される上蓋１０Ａとからなる。
【００１５】
キャップ本体２０は、ポリエチレン等の樹脂で形成され、容器本体３０の口部３１に液密に冠着する。キャップ本体２０の上面には、注出筒２１が突設され、注出筒２１で囲まれた領域に開口部２２が形成されている。注出筒２１は、先端部の開口径が広がったラッパ形状をしており、その外壁には、上蓋１０Ａと螺合する雄ネジ凸条２３が形成されている。
【００１６】
上蓋１０Ａは、ポリプロピレン、ポリエチレン等の樹脂で形成され、その天面内側に環状筒１１を有している。この環状筒１１は、上蓋１０Ａをキャップ本体２０に螺合装着した状態で、注出筒２１の上端部内壁に液密に圧接される。
【００１７】
環状筒１１に囲まれた領域には放射状液誘導リブ１２が形成されている。放射状液誘導リブ１２は、複数のリブ片１３を放射状に配置し、各リブ片１３の放射状液誘導リブ中心部１２ａ側の端部を連続又は近接させた形状をなしている。各リブ片１３は、その環状筒１１側周縁部から放射状液誘導リブ中心部１２ａに向かってリブ片１３の高さが高くなり、放射状液誘導リブ１２の中心部で頂部１２ｂを形成している。この放射状液誘導リブ１２の頂部１２ｂは、上蓋１０Ａをキャップ本体２０に装着した状態で、注出筒２１で囲まれた領域の内側に垂下する。また、各リブ片１３の幅は、放射状液誘導リブ中心部１２ａから環状筒１１側の周縁部に向かって広くなっている。このようにリブ片１３の幅を放射状液誘導リブ中心部１２ａから環状筒１１側の周縁部に向かって広くすることにより、上蓋１０Ａを装着して容器本体３０を振とうした場合に、放射状液誘導リブ１２の表面に過剰の内容液が付着することを防止することができ、また、リブ片１３の幅を放射状液誘導リブ中心部１２ａ側に向かって狭くすることにより、リブ片１３に付着した内容液を放射状液誘導リブ中心部１２ａ側に流し容器本体内３０内に戻す際に、液を集めて容器本体３０内に戻すことができる。さらに、リブ片１３の高さを放射状液誘導リブ中心部１２ａ側に向かって高く形成することにより、容器本体３０の振とう後、それを正立させた場合に、放射状液誘導リブ１２に付着した内容液を、その頂部から容器本体３０内へ速やかに戻すことが可能となる。
【００１８】
ここで、放射状液状リブ１２の外周面における個々のリブ片１３の幅Ｌ1 は１．０〜３．０ｍｍ、リブ片間の距離Ｌ2 は１．０〜１．５ｍｍ、放射状液状リブ１２の高さＬ3 は５．０〜１０ｍｍとすることが好ましい。
【００１９】
各リブ片１３の間には、環状筒１１の基部から放射状液誘導リブ中心部１２ａに向かって液保持リブ１５が放射状に形成されている。本発明において、液保持リブ１５は、上蓋１０Ａの液保持性を高めるために必要に応じて設けられる。液保持リブ１５は、環状筒１１の基部と放射状液誘導リブ１２とを繋ぐように形成し、環状筒１１の内側の間隙１４を複数の室に分割することが好ましい。これにより、上蓋１０Ａの液保持性を一層高めることができる。
【００２０】
液保持リブ１５の環状筒１１側端部の幅Ｌ4 は１．０〜１．５ｍｍ、高さＬ5 は２．０〜３．０ｍｍとすることが好ましい。
【００２１】
なお、このように液保持リブ１５を設ける場合には、図示したように放射状液誘導リブ１２を環状筒１１から間隙１４をおいて形成することが、上蓋１０Ａの液保持性を高める点から好ましい。これに対し、本発明のキャップにおいて、液保持リブ１５を設けない場合には、間隙１４をおくことなく放射状液誘導リブ１２を環状筒１１の基部から連続して形成するか、あるいは間隙１４内を液が流れない程度に幅狭く間隙１４を形成することが、上蓋１０Ａの液保持性を高める点から好ましい。液保持リブ１５を設けない場合に、放射状液誘導リブ１２と環状筒１１との間に、液が流れる程度に幅広い間隙１４を設けると、容器本体３０の振とう後に上蓋１０Ａをキャップ本体２０から外す際に、上蓋１０Ａ内に付着した内容液が間隙１４を流れて環状筒１１の基部の一箇所に集まり、集まった液が環状筒１１をのりこえるおそれが生じるので好ましくない。
【００２２】
上蓋１０Ａの天面内側には、キャップ本体２０の雄ネジ凸条２３と螺合する雌ネジ凸条１６を有する環状壁１７が、環状筒１１の外側に形成されており、さらにその外側に外装壁１８が形成されている。
【００２３】
このキャップ１Ａを、ドレッシング等の内容液が収容された容器本体３０に取り付け、上蓋１０Ａをキャップ本体２０に螺合装着した状態で容器本体３０を振とうすると、上蓋１０Ａの放射状液誘導リブ１２には内容液が付着するが、この内容液は、容器本体３０を正立させると、垂下している放射状液誘導リブ１２の表面をつたい、その頂部１２ｂから速やかに容器本体３０内に戻る。したがって、振とう後に上蓋１０Ａをキャップ本体２０から外したときに、上蓋１０Ａに付着している内容液の液量を極力低減させることができる。
【００２４】
なお、上蓋１０Ａをキャップ本体２０に螺合装着した状態で、環状筒１１は注出筒２１の上端部内壁に液密に圧接されているので、容器本体３０の振とう中に内容液が環状筒１１の外側にまで付着することはない。また、上蓋１０Ａはキャップ本体２０に螺合装着されているので、容器本体３０を激しく振とうしても、上蓋１０Ａが不用意に外れてしまうことはない。
【００２５】
振とう後、上蓋１０Ａを外すと、環状筒１１の内側に僅かではあるが内容液が付着している。この内容液は、放射状液誘導リブ１２を形成する各リブ片１３の間や液保持リブ１５の形成領域に保持されている。したがって、上蓋１０Ａを外したときの上蓋外壁への内容液の液だれを防止できる。
【００２６】
次に、上蓋１０Ａを再度キャップ本体２０に螺合装着すると、放射状液誘導リブ１２のリブ片１３の間や、液保持リブ１５の形成領域に保持されていた内容液は、放射状液誘導リブ１２の表面をつたって下方に流れ、その頂部１２ｂから容器本体３０Ａ内に戻る。したがって、上蓋１０Ａを再度装着したときの容器本体外壁への内容液の液だれも防止できる。
【００２７】
本発明のキャップは、種々の態様をとることができる。例えば、図３のキャップ１Ｂは、上蓋１０Ｂをキャップ本体２０に装着した状態で、放射状液誘導リブ１２の頂部１２ｂを、キャップ本体２０の上面に開口している開口部２２の縁辺に接触させたものである。このように、放射状液誘導リブ１２の頂部１２ｂを開口部２２の縁辺に接触させると、放射状液誘導リブ１２に付着している内容液の容器本体３０内への戻しを、さらに促進させることができる。同様の効果を得るため、放射状液誘導リブ１２の頂部１２ｂは、開口部２２の縁辺に十分に近接させてもよい。
【００２８】
図４のキャップ１Ｃは、図１のキャップ１Ａにおいて、キャップ本体２０の開口部２２を、プルアップ２４の付いた切取蓋２５で塞ぎ、ユーザーが内容液を最初に使用する際に、開口部２２が開くようにしたものである。
【産業上の利用可能性】
【００２９】
本発明のキャップは、ドレッシング、ソース、タレ、食用油等の液状物を収容する容器のキャップとして有用である。
【図面の簡単な説明】
【００３０】
【図１】上蓋の部分切欠斜視図（ａ）と底面図（ｂ）である。
【図２】容器本体に取り付けたキャップの断面図である。
【図３】容器本体に取り付けたキャップの断面図である。
【図４】容器本体に取り付けたキャップの断面図である。
【符号の説明】
【００３１】
１Ａ、１Ｂ、１Ｃ    キャップ
１０Ａ、１０Ｂ、１０Ｃ    上蓋
１１      環状筒
１２      放射状液誘導リブ
１２ａ    放射状液誘導リブ中心部
１２ｂ    放射状液誘導リブの頂部
１３      リブ片
１４      間隙
１５      液保持リブ
１６      雌ネジ凸条
１７      環状壁
１８      外装壁
１７      液だれ誘導突起
２０      キャップ本体
２１      注出筒
２２      開口部
２３      雄ネジ凸条
２４      プルアップ
２５      切取蓋
３０      容器本体
３１      口部
【図１】
0004840568.tif 000002
【図２】
0004840568.tif 000003
【図３】
0004840568.tif 000004
【図４】
0004840568.tif 000005